(57)【要約】      （修正有）【課題】複数容器の包装体にボトル容器の抜取り防止手段を講じた複数容器の包装体を提供する。【解決手段】底部２０を有する筒体と、該筒体の上端開口を開閉する内外二つの蓋２３，２４とを備えたボトル容器収納ケース１１内に、複数のボトル容器１４を所定の間隔を保持して支持するボトル容器支持台１２を設置した複数容器の包装体１０において、外蓋２４に施錠装置を設け、内外二つの蓋２３，２４によって上端開口を密閉する際に、前記施錠装置をボトル容器収納ケース１１内に閉じ込める。【選択図】図１
0003204197.tif 000002
【実用新案登録請求の範囲】
【請求項１】
底部を有する筒体と、該筒体の上端開口を開閉する内外二つの蓋とを備えたボトル容器収納ケース内に、複数のボトル容器を所定の間隔を保持して支持するボトル容器支持台を設置した複数容器の包装体において、前記外蓋に施錠装置を設け、前記内外二つの蓋によって上端開口を密閉する際に、前記施錠装置を前記ボトル容器収納ケース内に閉じ込めることを特徴とする複数容器の包装体。
【請求項２】
前記施錠装置を、ボトル容器収納ケースの外蓋に少なくとも一つ設けることを特徴とする請求項１記載の複数容器の包装体。
【請求項３】
前記施錠装置を、ボトル容器収納ケースの外蓋の自由端より突出させた突出部と、該突出部の左右両端部のうち、少なくとも一方の側端部に設けた係止部より構成し、かつ、前記係止部が、Ｖ字形またはレ字形に屈曲された状態で差し込み穴に差し込まれ、前記差し込み穴を通過後に自力で開脚することを特徴とする請求項１又は２記載の複数容器の包装体。
【請求項４】
前記蓋部が内外二つの蓋から構成され、前記内蓋に、前記外蓋に設けた施錠装置を差し込むための差し込み穴を設けることを特徴とする請求項１乃至３のいずれか一項に記載の複数容器の包装体。
【請求項５】
前記ボトル容器収納ケースの筒体に、施錠装置の差し込み穴に到達する１対の切り裂き部を設けたことを特徴とする請求項１記載の複数容器の包装体。
【考案の詳細な説明】
【技術分野】
【０００１】
本考案は、複数容器の包装体、更に詳しくは、複数のボトル容器を所定の間隔を保持して包装する複数容器の包装体に関する。
【背景技術】
【０００２】
例えば、ヘアシャンプやヘアコンディショナなどのボトル容器を販売する場合、この２本のボトル容器を１組みとし、これらを１枚の透明な合成樹脂シートからなるシート基材を折り曲げて形成した包装体によって包装し、店舗の陳列棚などに陳列することにより、外方より商品のデザイン性が容易に認識できると共に、シート基板に印刷された宣伝文やデザイン性により、顧客の購買意欲をそそる手法が知られている。
【０００３】
従来の包装体は、１枚のシート基材の両端をその中央部の方向に折り返し、これらを前記中央部にホットメルトはセロハンテープにより接着することで、２本のボトル容器を個別に収納する容器収納筒部を形成したものであった。そして、包装体の容器収納筒部にボトル容器を個別に収納して展示販売するものであった。
【０００４】
しかしながら、従来の包装体は、上記のように、１枚のシート基材の両端をその中央部の方向に折り返し、これらを前記中央部にホットメルトやセロハンテープにより接着することで、２本のボトル容器を個別に収納する容器収納筒部を形成したものであるから、展示販売中に、包装体よりボトル容器が抜き取られる被害があった。
【０００５】
また、複数容器の包装体として、複数の容器の胴部が筒状に形成されたストレッチフィルムで一体的に包装され、前記複数の容器を持ち運び可能なハンガーの両端部が、ストレッチフィルム及び容器の両方にわたって粘着剤を介して固着されているものも知られている（例えば、特許文献１参照）。しかしながら、この包装体でも、ボトル容器がストレッチフィルムより外部に露出しているため、上記のような被害が発生するものと思われる。
【先行技術文献】
【特許文献】
【０００６】
【特許文献１】実用新案登録第２５９４６１２号公報
【考案の概要】
【考案が解決しようとする課題】
【０００７】
本考案は、上記の問題点に鑑みてなされたもので、複数容器の包装体に施錠装置を設けてボトル容器の抜き取りを防止するようになした複数容器の包装体を提供することにある。
【課題を解決するための手段】
【０００８】
本考案は、底部を有する筒体と、該筒体の上端開口を開閉する内外二つの蓋とを備えたボトル容器収納ケース内に、複数のボトル容器を所定の間隔を保持して支持するボトル容器支持台を設置した複数容器の包装体において、前記外蓋に施錠装置を設け、前記内外二つの蓋によって上端開口を密閉する際に、前記施錠装置を前記ボトル容器収納ケース内に閉じ込めることを特徴とする複数容器の包装体である。
【０００９】
また、本考案の複数容器の包装体は、前記施錠装置を、ボトル容器収納ケースの外蓋に少なくとも一つ設けることを特徴とする。
【００１０】
また、本考案の複数容器の包装体は、前記施錠装置を、ボトル容器収納ケースの外蓋の自由端より突出させた突出部と、該突出部の左右両端部のうち、少なくとも一方の側端部に設けた係止部より構成し、かつ、前記係止部が、Ｖ字形またはレ字形に屈曲された状態で差し込み穴に差し込まれ、前記差し込み穴を通過後に自力で開脚することを特徴とする。
【００１１】
また、本考案の複数容器の包装体は、前記蓋部が内外二つの蓋から構成され、前記内蓋に、前記外蓋に設けた施錠装置の差し込み穴を設けることを特徴とする。
【００１２】
また、本考案の複数容器の包装体は、前記ボトル容器収納ケースの筒体に、施錠装置の差し込み穴に到達する１対の切り裂き部を設けたことを特徴とする。
【００１３】
ボトル容器としては、例えば、ヘアシャンプやヘアリンス、酒類、飲料水、薬剤（例えば輪液）、菓子（例えばスナック菓子）、雑貨類、釣り具、備品などの容器が挙げられる。
ボトル容器の形状は特に規定されない。例えば、一般に筒形と認められる容器や、少なくとも容器収納筒部の内側と接触する部分全体、もしくはその殆どが同一の口径を有する容器が用いられる。また、包装されるボトル容器の総本数は２本以上である。
【００１４】
また、複数容器の包装体を構成するシート基材である熱可塑性合成樹脂としては、例えば、ポリアミド、ポリプロピレン，ポリエチレンなどのポリオレフィン、ポリスチレン、ポリカーボネート、ポリエチレンテレフタレート、ポリフェニレンサルファイドなどを採用することができる。好ましくは、ポリプロピレンである。
上記熱可塑性合成樹脂は、シート基材が湾曲可能なように軟質のもの、或いは初期状態に復元可能なようにある程度復元力のあるものである。
【００１５】
本考案の包装体におけるボトル容器収納ケースを構成する筒体の一体化は、例えばホットメルト系接着剤、両面接着テープ、超音波溶着などによって行うことができる。好ましくは、ホットメルト系接着剤である。
このうち、ホットメルト系接着剤としては、周知のポリオレフィン樹脂系、ポリアミド系、ポリエステル系、合成ゴム系などのホットメルト系接着剤を用いることができる。
ホットメルト系接着剤のなかでも、官能基を有するポリオレフィン系共重合体類、官能基を有する変性ポリオレフィン類、エラストマー類の接着性樹脂を主成分とするホットメルト系接着剤が好ましい。
また、超音波溶着（超音波ウェルダー加工）は、一般的な超音波振動を発生する装置（超音波溶接機、超音波ウェルダー）により行うことができる。溶着パターンは、特に限定はなく、例えば、線状、点線状、一点鎖線状などが挙げられる。
【考案の効果】
【００１６】
本考案は、底部を有する筒体と、該筒体の上端開口を開閉する内外二つの蓋とを備えたボトル容器収納ケース内に、複数のボトル容器を所定の間隔を保持して支持するボトル容器支持台を設置した複数容器の包装体において、前記外蓋に施錠装置を設け、前記内外二つの蓋によって上端開口を密閉する際に、前記施錠装置を前記ボトル容器収納ケース内に閉じ込めるので、外部から施錠装置を解除または破損することが困難である。よって、ボトル容器をボトル容器収納ケースから簡単に抜き取ることができない。
【図面の簡単な説明】
【００１７】
【図１】本考案に係る複数容器の包装体の使用状態を示す概略図である。
【図２】本考案に係る複数容器の包装体を構成するボトル容器収納ケースの一部断面を含む正面図である。
【図３】施錠装置の施錠状態を示す拡大正面図である。
【図４】施錠装置を挿入する差し込み穴の拡大平面図である。
【図５】ボトル容器収納ケース内に設置するボトル容器支持台の平面図である。
【図６】ボトル容器支持台に装着する景品保持筒の側面図である。
【図７】ボトル容器収納ケースの展開図である。
【図８】ボトル容器支持台の展開図である。
【図９】景品保持筒の展開図である。
【考案を実施するための形態】
【００１８】
本考案の実施の形態を図面を用いて説明する。
図１に示すように、本考案に係る複数容器の包装体１０は、ボトル容器収納ケース１１と、ボトル容器収納ケース１１内に設置されたボトル容器支持台１２より構成されている。
ボトル容器支持台１２は、複数（例えば、２本）のボトル容器１４を所定の間隔を保持して支持できる構造になっている。また、所望により、ボトル容器支持台１２に景品保持筒１３を装着し、景品用のボトル容器１５を保持できるようにすることも可能である。
【００１９】
図２に示すように、ボトル容器収納ケース１１は、１枚の透明な熱可塑性合成樹脂製の平坦なシート基材をプレス機によって打ち抜いた後、箱形に形成したものであり、底部２０を有する筒体２１と、筒体２１の上端開口２２を開閉する内外二つの蓋部２３，２４を備えている。シート基材は、必ずしも透明である必要はなく、例えば、半透明（例えば乳白色）、不透明（例えば白色）であっても構わない。
【００２０】
図７に示すように、ボトル容器収納ケース１１は、長方形の背面部２５と前面部２６とを備え、各裾部（下端部）２７が所定の形状、例えば、横長の六角形の底部２０に接続している。ボトル容器収納ケース１１の前面部２６は、左右両端にそれぞれ側面２９を備えている。他方、ボトル容器収納ケース１１の前面部２６は、左右両端にそれぞれ側面２９を備えるとともに、側面２９の真横に結合代３０を備えている。よって、ボトル容器収納ケース１１の前面部２６と背面部２５とを裾部２７で谷折りし、背面部２５の側面２８を折り目ａで谷折りし、前面部２６の側面２９および接続代３０をそれぞれ折り目ｂ，ｃで谷折りし、前面部２６の結合代３０を背面部２５の側面２８にホットメルト系接着剤、両面接着テープあるいは超音波溶着によって結合すると、図２に示すようなボトル容器収納ケース１１の筒体２１が形成される。なお、図２は、背面部の正面図である。
【００２１】
また、ボトル容器収納ケースの前面部２６は、上端に底部２０と同じ寸法形状の外蓋２４を備えている。外蓋２４は、その自由端に施錠装置１６を備えている。施錠装置１６の個数としては、一つでもよいが、複数個（例えば、２乃至３個）でもよい。
【００２２】
施錠装置１６は、図７に示すように、外蓋２４の自由端に設けた長方形の突出部４０と、突出部４０の左右両端に設けた二つの係止部４１より構成されている。これらの係止部４１は、Ｖ字形またはレ字形に屈曲された状態で後述する第１差し込み穴４２に差し込まれ、第１差し込み穴４２を通過後にシート基材の弾力性を利用して自力で開脚し、初期状態に復元するようになっている。なお、係止部４１は、左右の二つの係止部４１のうち、いずれか一方のみの係止部４１でもよい。
【００２３】
上記外蓋２４は、上記の如く、底部２０と同様に横長の六角形に形成され、その自由端側の斜面部に連結片３１を備えている。また、前面部２６の側面２９は、その上端に蓋受け３２を備えている。
【００２４】
他方、ボトル容器収納ケース１１の背面部２５は、図７に示すように、上端に底部２０と同じ寸法形状の六角形の内蓋２３を備えている。内蓋２３は、プレス加工時に加工された第１差し込み穴４２を設けている。第１差し込み穴４２の両端は、ケース背面部２５との上端３３に位置している。よって、内蓋２３をケース背面部２５の上端３３より谷折りすると、図４に示すように、内蓋２３に第１差し込み穴４２が出現する。第１差し込み穴４２の形状としては、例えば、長方形や円弧状の偏平な長穴が好ましい。また、第１差し込み穴４２は、開脚した施錠装置１６の係止部４１が抜けないような大きさに設定されている。
【００２５】
また、ボトル容器収納ケース１１の背面部２５は、図７に示すように、１対の第１引き裂き部４３を設けている。１対の第１引き裂き部４３は、第１差し込み穴４２の端部に接続し、１対の第１引き裂き部４３に沿ってボトル容器収納ケース１１の背面部２５の一部を引き裂くことが可能になっている。第１引き裂き部４３としては、ミシン線やプレス加工時に付けたＶ形溝などを挙げることができる。ミシン線は、通常、ピッチやマイクロミシンを使用して加工される。
【００２６】
また、ボトル容器収納ケース１１の背面部２５に隣接する側面２８は、上端に蓋受け３４を備えている。蓋受け３４は、プレス加工時に加工された第２差し込み穴３５を設けている。第２差し込み穴３５は、第１差し込み穴４２と同様に形成されている。更に、ボトル容器収納ケース１１の背面部２５は、プレス加工時に打ち抜き加工した凹字形の持ち手部３６を設けている。持ち手部３６の形状寸法は、特に限定されない。
【００２７】
図５に示すように、上記ボトル容器支持台１２は、ボトル容器収納ケース１１と同様に１枚の透明な熱可塑性合成樹脂製の平坦なシート基材をプレス機によって打ち抜いた後、筒形に組み立てたものである。ボトル容器支持台１２は、図８に示すように、横長な六角形の天板５０を備え、その上端側に複数の連結片５１を持つ長方形の側面部５２を備えている。また、天板５０は、その下端側に長方形の側面部５３と、底部５４と、裏当て５５とを備え、裏当て５５の裾部５６に複数の第３差し込み穴５７を備えている。更に、天板５０は、後述する景品保持筒１３の装着装置７０を装着する第４差し込み穴５８を設けている。第４差し込み穴５８は、第１差し込み穴４２と同様に形成されている。また、ボトル容器支持台１２は、天板５０に所定の間隔を保持して複数（例えば、２個）のボトル容器挿入口５９を備え、天板５０の左右両端に複数の端板６０を備えている。よって、各部材の接続部分を谷折りすることで筒状のボトル容器支持台１２を形成することができる。
ボトル容器挿入口５９の形状としては、例えば、台形形、多角形、楕円形、円形などを挙げることができる。
【００２８】
図６に示すように、上記景品保持筒１３は、ボトル容器収納ケース１１と同様に１枚の透明な熱可塑性合成樹脂製の平坦なシート基材をプレス機によって打ち抜いた後、打ち抜かれた景品保持板７１を筒形に丸めたものである。図９に示すように、景品保持板７１は、右側に上向きに開口する第１スリット７２を設け、左側に下向きに開口する第２スリット７３を設けている。よって、景品保持板７１を丸めて第１スリット７２と第２スリット７３とを噛み合わせると、筒形の景品保持筒１３となる。その際、景品保持板７１の左端にある連結片７４を第１スリット７２の近傍にある挿入穴７５に挿入する。また、景品保持板７１は、その下部に装着装置７０を設け、更に、第１，第２スリット７２，７３間に上下方向の１対の第２引き裂き部７６を設けている。装着装置７０は、上記施錠装置１６と同様に構成されている。符号７７は突出部、７８は係止部である。
【００２９】
図１に示すように、上記ボトル容器収納ケース１１内に上記ボトル容器支持台１２を設置した後、ボトル容器支持台１２の複数のボトル容器挿入口５９にそれぞれボトル容器１４を挿入して複数のボトル容器１４を所定の間隔に保持させる。なお、所望により、ボトル容器支持台１２に景品保持筒１３を装着して景品用のボルト容器１５を保持するようにすることも可能である。
【００３０】
次に、ボトル容器収納ケース１１の側面２８，２９の蓋受け３２，３４および内外二枚の蓋２３，２４を谷折りしてボトル容器収納ケース１１の上端開口２２を密閉する。次いで、外蓋２４に設けた施錠装置１６を内蓋２３に設けた第１差し込み穴４２に差し込んで施錠装置１６をボトル容器収納ケース１１内に閉じ込める。よって、施錠装置１６を外部から解除または破損することが困難になる。
【００３１】
施錠装置１６の係止部４１は、施錠時に、Ｖ字形またはレ字形に屈曲された状態で内蓋２３の第１差し込み穴４２に差し込まれ、第１差し込み穴４２を通過後にシート基材の弾力性を利用して自力で開脚し、初期状態に戻る（図３参照）。よって、施錠装置１６は、ボトル容器収納ケース１１内にロックされる。
【００３２】
複数容器の包装体１０を購入した顧客が自宅等で第１差し込み穴４２に達する１対の第１引き裂き部４３に沿ってボトル容器収納ケース１１の前面部２５の一部を引き裂くと、施錠装置１６をボトル容器収納ケース１１の外部に取り出すことができる。よって、内外二つの蓋２３，２４を開いてボトル容器収納ケース１１のボトル容器１４を取り出すことができる。
【００３３】
なお、本実施例では、符号２６を前面部、符号２５を背面部として説明したが、これらは逆であってもよい。すなわち、符号２５が前面部、符号２６が背面部として、展示してもよいことはいうまでもない。
【符号の説明】
【００３４】
１０  複数容器の包装体
１１  ボトル容器収納ケース
１２  ボトル容器支持台
１４  ボトル容器
１６  施錠装置
２０  底部
２１  筒体
２２  上端開口
２３，２４  蓋
【図１】
0003204197.tif 000003
【図２】
0003204197.tif 000004
【図７】
0003204197.tif 000005
【図３】
0003204197.tif 000006
【図４】
0003204197.tif 000007
【図５】
0003204197.tif 000008
【図６】
0003204197.tif 000009
【図８】
0003204197.tif 000010
【図９】
0003204197.tif 000011